(57)【特許請求の範囲】
【請求項１】
放送局から放送される映像を視聴可能な携帯端末装置において、
Ｉピクチャを記憶した記憶部と、
前記放送局からの放送波を受信中に当該放送波の受信品質を監視し、受信品質の劣化を検出した場合に、前記記憶部から、受信品質の劣化を検出したフレームのタイミングから受信品質の回復を検出したフレームのタイミングまでに対応するＩピクチャを順次読み出し、当該読み出したＩピクチャを画面上に表示させる制御部と、
を有することを特徴とする携帯端末装置。
【請求項２】
前記制御部は、前記放送波の受信開始後の所定のタイミングで、前記放送局から放送される映像に対応する映像データに含まれるＩピクチャの転送を要求する、
ことを特徴とする請求項１に記載の携帯端末装置。 
【請求項３】
前記制御部は、受信品質が回復するまでの間、前記読み出したＩピクチャの画面表示を維持する、
ことを特徴とする請求項１または２に記載の携帯端末装置。
【請求項４】
Ｉピクチャを記憶した記憶部を有するコンピュータにより実行される画像補正プログラムであって、
放送局からの放送波を受信中に当該放送波の受信品質を監視し、受信品質の劣化を検出した場合に、前記記憶部から、受信品質の劣化を検出したフレームのタイミングから受信品質の回復を検出したフレームのタイミングまでに対応するＩピクチャを読み出し、当該読み出したＩピクチャを画面上に表示させる、
処理をコンピュータに実行させることを特徴とする画像補正プログラム。
【発明の詳細な説明】
【技術分野】
【０００１】
本発明は、地上波デジタルテレビジョン放送の１セグメントを用いた近距離放送を視聴可能な携帯端末装置に関する。
【背景技術】
【０００２】
携帯電話機用のテレビジョン放送として、地上波デジタルテレビジョン放送の１セグメントを用いたテレビジョン放送（以後、ワンセグ放送と呼ぶ）が普及している。また、ワンセグ放送の一例として、半径数ｍから数１０ｍの狭域の受信エリアをカバーする微弱電波を用いた「小規模放送局による近距離放送」が提案されている。
【０００３】
小規模放送局による近距離放送の仕様は、基本的には、一般（近距離放送以外）のワンセグ放送と同じである。したがって、ユーザは、ワンセグ放送を受信可能な携帯電話機を利用して、小規模放送局による近距離放送を視聴することができる。このような小規模放送局による近距離放送は、微弱電波の特性を生かし、デパート，コンビニエンスストア，レストラン等、地域や店舗に合った最新の番組を提供することができる。
【０００４】
ここで、従来の近距離放送視聴処理の一例を具体的に説明する。携帯電話機では、映像再生チューナでテレビジョン放送を受信しさらに受信した放送を画面に表示させながら、探波チューナでチャンネルをスキャンし、その他の放送波の検出を行う。探波チューナにより放送波が検出された場合、携帯電話機では、さらに、検出された放送波のチャンネル情報と一般放送用チャンネル記憶部に記憶されているチャンネル情報とを比較する。その結果、検出された放送波のチャンネル情報が一般放送用チャンネル記憶部に登録されていない場合には、携帯電話機では、検出された放送波が小規模放送局による近距離放送であると判断する。そして、検出された放送波のチャンネル情報を小規模放送用チャンネル記憶部に登録する。その後、携帯電話機では、映像再生チューナのチャンネルを、登録された小規模放送用のチャンネルに切り替え、近距離放送の映像を画面に表示する。このよう技術を用いることにより、ユーザは、たとえば、店舗内でのお勧めコンテンツ放送を店舗内等の所定の範囲内で視聴することが可能となる。
【先行技術文献】
【特許文献】
【０００５】
【特許文献１】特開２００９−１８２８００号公報
【発明の概要】
【発明が解決しようとする課題】
【０００６】
しかしながら、上記従来の技術においては、半径数ｍから数１０ｍの受信エリアをカバーする微弱電波を使用しているため、店舗内を移動中に受信状態が悪化して画像品質が劣化し、ワンセグ特有の「画面が崩れた状態」になる、という問題があった。
【０００７】
開示の技術は、上記に鑑みてなされたものであって、近距離放送の受信状態が悪化した場合における画像の乱れを防止可能な携帯端末装置を提供することを目的とする。
【課題を解決するための手段】
【０００８】
本願の開示する携帯端末装置は、一つの態様において、放送局から放送される映像を視聴可能な携帯端末装置であって、Ｉピクチャを記憶した記憶部と、前記放送局からの放送波を受信中に当該放送波の受信品質を監視し、受信品質の劣化を検出した場合に、前記記憶部から、受信品質の劣化を検出したタイミングに対応するＩピクチャを読み出し、当該読み出したＩピクチャを画面上に表示させる制御部と、を有する。
【発明の効果】
【０００９】
本願の開示する携帯端末装置の一つの態様によれば、近距離放送の受信状態が悪化した場合における画像の乱れを防止することができる、という効果を奏する。
【図面の簡単な説明】
【００１０】
【図１】図１は、携帯端末装置の一例である携帯電話機の構成例を示す図である。
【図２】図２は、携帯電話機における画像補正処理の概要を示す図である。
【図３】図３は、携帯電話機における画像補正処理の概要を示す図である。
【図４】図４は、携帯電話機の画像補正処理を示すフローチャートである。
【図５】図５は、受信圏内／圏外検出の判断基準を示す図である。
【図６】図６は、Ｉピクチャ補間処理を示すフローチャートである。
【発明を実施するための形態】
【００１１】
以下に、本願の開示する画像補正プログラムおよび携帯端末装置の実施例を図面に基づいて詳細に説明する。なお、以下の実施例では、携帯端末装置の一例として携帯電話機を使用するが、この実施例によりこの発明が限定されるものではない。たとえば、本願開示の技術は、ＰＤＡ（Personal  Digital  Assistant），ノートパソコン，ゲーム機，カーナビ等、ワンセグ放送を受信可能な装置であれば同様に適用可能である。
【実施例１】
【００１２】
図１は、本実施例の携帯電話機の構成例を示す図である。図１において、本実施例の携帯電話機１は、プロセッサ１１と地上波デジタル受信部１２と復調分離部１３と音声デコード部１４と画像デコード部１６とデータ放送デコード部１７と、赤外線通信等を行う外部通信部１８とを有する。なお、これらの構成は、たとえば、ＣＰＵ（Central  Processing  Unit）およびＦＰＧＡ（Field  Programmable  Gate  Array）等で構成することが可能である。
【００１３】
また、図１において携帯電話機１は、ＬＣＤ（Liquid  Crystal  Display）等の表示部１５と、ＲＯＭおよびＲＡＭを有する記憶部１９と、放送波を受信するアンテナ２０と、スピーカ２１を有する。なお、図１に示す携帯電話機１の構成例は、説明の便宜上、本実施例の処理にかかわる構成を列挙したものであり、携帯電話機能を実現するすべての構成を表現したものではない。
【００１４】
プロセッサ１１は、本実施例の画像補正プログラム等を実行し、地上波デジタル受信部１２，復調分離部１３，音声デコード部１４，表示部１５，画像デコード部１６，データ放送デコード部１７，外部通信部１８，記憶部１９を制御する。
【００１５】
また、地上波デジタル受信部１２は、アンテナ２０を介して放送波を受信し、ベースバンド信号への変換およびＡ／Ｄ変換等の処理を行う。復号分離部１３は、受信信号に対して、復調，誤り訂正復号等の処理を行い、ＴＳ（Transport  Stream）パケットを復元する。このＴＳパケットには、映像や音声の他に、字幕や番組情報などのデータ情報が含まれている。さらに、復号分離部１３は、このＴＳパケットを、映像と音声とデータ放送のＴＳパケットにそれぞれ分離する。
【００１６】
また、音声デコード部１４は、分離されたＴＳパケットから音声信号を生成し、スピーカ２１から音声を出力する。画像デコード部１６は、分離されたＴＳパケットから映像信号を生成する。データ放送デコード部１７は、分離されたＴＳパケットからデータ放送信号を生成する。表示部１５は、たとえば、映像信号とデータ放送信号を重ね合わせた画像を表示する。
【００１７】
また、記憶部１９には、本実施例の画像補正プログラム等の各種プログラムが予め記憶されている。プロセッサ１１は、これらのプログラムを読み出して実行する。また、記憶部１９には、後述するＩピクチャ補間処理用のＩピクチャが記憶される。
【００１８】
つづいて、上記本実施例の携帯電話機１における画像補正処理の概要について説明する。図２および図３は、携帯電話機１における画像補正処理の概要を示す図である。なお、携帯電話機１はワンセグ放送を受信可能な携帯電話機であることを前提とする。また、小規模放送局２による近距離放送の仕様は一般のワンセグ放送と同じであるため、ユーザは、ワンセグ放送を受信可能な携帯電話機１を用いて、近距離放送を視聴することができる。また、近距離放送では、同一の映像を繰り返し放送していることを前提とする。
【００１９】
たとえば、携帯電話機１が小規模放送局２による近距離放送の受信エリア３内に在圏している場合に、ユーザが携帯電話機１に対し近距離放送の視聴を指示する操作を行うと、携帯電話機１は、近距離放送の放送波の受信を開始する。そして、携帯電話機１は、アンテナ２０を介して得られる受信信号を復号することにより、映像データとしてＩピクチャ（Intra  picture）およびＢ／Ｐピクチャ（Predictive  picture／Bi−directional  predictive  picture）を取得する（図２，図３、Ｓ１）。図３のＳ１には、復号により得られた映像データ（図３上部参照）の一例が記載されている。具体的には、１秒間のフレーム数を表すフレームレートを１５ＦＰＳとし、ＧＯＰ（Group  Of  Pictures）長を５とした場合の例が記載されており、この場合、次のＩピクチャまでの間隔は、「１÷１５×５＝０．３３秒」となる。携帯電話機１では、この映像データ（Ｉピクチャ，Ｂ／Ｐピクチャ）を用いて表示部１５に映像を表示する（図３のＳ１の画像補正プログラム適用後の映像データ参照）。
【００２０】
一方で、携帯電話機１は、近距離放送の受信開始とともに、たとえば、外部通信部１８による赤外線通信機能を利用して、小規模放送局２に設置されたコンピュータに対し、繰り返し放送される映像のＩピクチャの一括転送を要求する。そして、その応答として、赤外線通信部１８による赤外線通信機能を利用して、小規模放送局２に設置されたコンピュータから、上記で要求したＩピクチャを一括受信する（図２、Ｓ２）。本実施例では、赤外線通信機能の一例として、ＩｒＳｉｍｐｌｅを採用する。なお、このＩピクチャの受信処理については、プロセッサ１１による制御で携帯電話機１側において自立的に実行してもよく、また、携帯電話機１がクレードルに置かれたことを契機に実行することとしてもよい。また、本実施例では、Ｉピクチャを受信する場合にＩｒＳｉｍｐｌｅを利用しているが、これに限らず、ＩｒＳｉｍｐｌｅ以外の赤外線通信やＢｌｕｅｔｏｏｔｈ（登録商標）等の近距離通信を用いてもよい。
【００２１】
Ｓ２によるＩピクチャの受信が完了すると、携帯電話機１は、放送波の受信品質の監視を開始する。この監視は、プロセッサ１１が地上波デジタル受信部１２を制御して常時行うこととしてもよいし、また、プロセッサ１１が地上波デジタル受信部１２を制御して定期的（５秒毎等）に行うこととしてもよい。
【００２２】
この状態で、たとえば、携帯電話機１のユーザが受信エリア３の圏外への移動を開始すると（図２，図３、Ｓ３）、携帯電話機１は、受信品質の劣化を検出したタイミングで、映像データをＳ２で受信しておいたＩピクチャで補間する（図２，図３、Ｓ４）。たとえば、受信品質が劣化した場合には、図３に示すように映像データが得られなくなり（図３上部の復号後の映像データ参照）、携帯電話機１の表示部１５の映像が乱れることになる（図２、図３参照）。そこで、本実施例の携帯電話機１では、受信品質の劣化を検出したタイミング以降の映像データを、予め一括受信しておいたＩピクチャ（同一の放送フレーム番号のＩピクチャ）で、補間する（図３、Ｓ４−１）。そして、つぎのＩピクチャのフレームタイミング（０．３３秒後）まで、補間したＩピクチャを連続して表示部１５に表示する（図３、Ｓ４−２）。以後、携帯電話機１では、受信品質が回復し所定の映像データが得られるまで、Ｉピクチャのフレームタイミングで上記補間処理を繰り返し実行することにより（図３、Ｓ４−３）、ワンセグ放送特有の画像の乱れを回避する。
【００２３】
その後、受信品質の回復を検出した場合、携帯電話機１は、上記補間処理を終了し、復号により得られた映像データ（Ｉピクチャ，Ｂ／Ｐピクチャ）を用いて表示部１５に映像を表示する（図３、Ｓ５）。なお、携帯電話機１では、近距離放送（図３の「ワンセグ終了」に対応）の受信終了を契機として、Ｓ２にて一括受信した補間用のＩピクチャを破棄する。
【００２４】
つづいて、携帯電話機１の動作をフローチャートに従い具体的に説明する。図４は、本実施例の画像補正処理を示すフローチャートである。
【００２５】
たとえば、ユーザが携帯電話機１に対してワンセグ放送受信の操作を行うと、プロセッサ１１は、ユーザの操作により指定されたチャネルＩＤを記憶部１９に記憶し、地上波デジタル受信部１２にワンセグ放送の放送波の受信を開始させる（Ｓ１１）。
【００２６】
なお、受信中のワンセグ放送が近距離放送の場合、プロセッサ１１は、赤外線通信部１８による赤外線通信機能を利用して、小規模放送局２に設置されたコンピュータに対し、繰り返し放送される映像に対応するＩピクチャの一括転送を要求する。そして、プロセッサ１１は、その応答として、赤外線通信部１８による赤外線通信機能を利用して、小規模放送局２に設置されたコンピュータから、要求したＩピクチャを一括受信し、記憶部１９に記憶する。
【００２７】
また、プロセッサ１１は、地上波デジタル受信部１２が小規模放送局２による近距離放送またはそれ以外の一般のワンセグ放送を受信中において（Ｓ１１）、受信圏内であるかどうかを監視する（Ｓ１２）。すなわち、プロセッサ１１は、受信信号の受信品質を監視し、所定の受信品質を満たす場合に受信圏内であると判断し、所定の受信品質を満たしていない場合に受信圏外であると判断する。図５は、受信圏内／圏外検出の判断基準を示す図である。図５では、一例として、受信品質をＣＮＲ（Carrier  to  Noise  ratio）とする。プロセッサ１１は、このＣＮＲがしきい値（たとえば、３０ｄＢ）未満の場合に受信圏外であると判断する。なお、本実施例では受信品質としてＣＮＲを用いているが、これに限るものではない。
【００２８】
たとえば、Ｓ１２による処理において、プロセッサ１１により受信圏内であると判断された場合（Ｓ１２、Ｙｅｓ）、地上波デジタル受信部１２は、プロセッサ１１からの転送指示に基づきＡ／Ｄ変換後の受信信号を復調分離部１３に転送する。つぎに、復調分離部１３では、プロセッサ１１の制御により、受信信号に対してＯＦＤＭ（Orthogonal  Frequency  Division  Multiplexing）復調および誤り訂正復号等の処理を行い、ＴＳパケットを復元する（Ｓ１３）。そして、復調分離部１３は、復元したＴＳパケットを映像／音声パケットおよびデータ放送パケットに分離する（Ｓ１４）。つぎに、音声デコード部１４、画像デコード部１６およびデータ放送デコード部１７では、プロセッサ１１の制御により、分離後のＴＳパケットを復号して、それぞれ音声信号、映像信号、データ放送信号を生成する（Ｓ１５）。ＴＳパケットを復号後、表示部１５は、プロセッサ１１の制御により映像を表示する（Ｓ１６）。
【００２９】
一方、Ｓ１２による処理において、受信圏外であると判断した場合（Ｓ１２、Ｎｏ）、プロセッサ１１は、記憶部１９に記憶されている受信チャネルＩＤに基づいて、受信中の放送波が近距離放送のものかそれ以外のワンセグ放送のものかを判断する（Ｓ１７）。たとえば、受信中の放送波が近距離放送以外のワンセグ放送の放送波の場合（Ｓ１７、Ｎｏ）、プロセッサ１１は、上記と同様の処理でＳ１３〜Ｓ１６の処理を実行する。一方、受信中の放送波が近距離放送の放送波の場合（Ｓ１７、Ｙｅｓ）、プロセッサ１１は、図６に示す「Ｉピクチャ補間」処理を実行する（Ｓ１８）。具体的には、プロセッサ１１は、まず、Ｓ１２において受信圏外であると判断したタイミングにおける放送フレーム番号を取得し（Ｓ２１）、同一の放送フレーム番号に対応するＩピクチャが記憶部１９に記憶されているかどうかを判断する（Ｓ２２）。同一の放送フレーム番号に対応するＩピクチャが記憶部１９に記憶されている場合（Ｓ２２、Ｙｅｓ）、プロセッサ１１は、記憶部１９からそのＩピクチャを読み出し、受信圏外と判断したタイミングの映像データを、読み出したＩピクチャで補間する（Ｓ２３）。そして、プロセッサ１１は、補間したＩピクチャを連続して表示部１５に表示させる（Ｓ１６）。なお、同一の放送フレーム番号に対応するＩピクチャが記憶部１９に記憶されていない場合（Ｓ２２、Ｎｏ）、プロセッサ１１は、同一番号に対応するＩピクチャが記憶部１９に記憶されていることが確認できるまで、Ｓ２１およびＳ２２の処理を繰り返し実行する。
【００３０】
そして、プロセッサ１１は、地上波デジタル受信部１２が小規模放送局２による近距離放送またはそれ以外の一般のワンセグ放送を受信している間（Ｓ１１）、上記Ｓ１２〜Ｓ１８の処理を繰り返し実行する。なお、プロセッサ１１では、近距離放送の受信終了を契機として、記憶部１９に記憶されている補間用のＩピクチャを破棄する。これにより、利用可能な領域を増やすことができる。
【００３１】
上述してきたように、本実施例では、携帯電話機が、近距離放送の放送波を受信中に、繰り返し放送される映像のＩピクチャを一括受信する。そして、携帯電話機は、放送波の受信品質の劣化を検出した場合に、受信品質の劣化を検出したタイミング以降の映像データを、予め一括受信しておいたＩピクチャ（同一の放送フレーム番号のＩピクチャ）で、補間することとした。これにより、小規模放送局による近距離放送の受信状態が悪化した場合であっても、ディスプレイにおける画像の乱れを防止することが可能となる。
【符号の説明】
【００３２】
１  携帯電話機
２  小規模放送局
３  受信エリア
１１  プロセッサ
１２  地上波デジタル受信部
１３  復調分離部
１４  音声デコード部
１５  表示部
１６  画像デコード部
１７  データ放送デコード部
１８  外部通信部
１９  記憶部
２０  アンテナ
２１  スピーカ
【図１】
0005742342.tif 000002
【図２】
0005742342.tif 000003
【図３】
0005742342.tif 000004
【図４】
0005742342.tif 000005
【図５】
0005742342.tif 000006
【図６】
0005742342.tif 000007